(57)【要約】【課題】移動局にとって適切なタイミングで省電力モードを解除することができる基地局、及び基地局の省電力方法を提供すること。【解決手段】フェムトセル基地局１００は、周辺基地局に登録移動局の在圏有無を問い合わせる登録移動局在圏問い合わせ部１２３と、自セルに登録移動局が在圏していないことを、省電力モード移行時として検出する登録移動局有無判定部１０５と、周辺セルへの登録移動局在圏問い合わせ周期を満了値とする第１タイマ１１１と、省電力モードを解除するまでの時間を満了値とする第２タイマ１１２と、省電力モード移行時において、第１タイマ１１１及び第２タイマ１１２をリセット及び起動するタイマ制御部１１３と、省電力モード移行時、無線部１０１の電源をオフし、第２タイマ１１２の満了検出により省電力モード解除の場合、無線部１０１の電源をオンする無線部電源制御部１０４とを備える。【選択図】図１
2012039295.tif 000002
【特許請求の範囲】
【請求項１】
移動通信システムで使用される基地局であって、
周辺基地局に登録移動局の在圏有無を問い合わせる登録移動局在圏問い合わせ部と、
自セルに登録移動局が在圏していないことを、省電力モード移行時として検出する登録移動局有無判定部と、
周辺セルへの前記登録移動局在圏問い合わせ周期を満了値とする第１タイマと、
前記省電力モードを解除するまでの時間を満了値とする第２タイマと、
前記省電力モード移行時において、前記第１及び第２タイマをリセット及び起動するタイマ制御部と、
前記省電力モード移行時、無線部の電源をオフするとともに、前記第２タイマの満了検出により省電力モード解除の場合、前記無線部の電源をオンする制御を行う無線部電源制御部と、
を備える基地局。
【請求項２】
前記登録移動局有無判定部は、
自セルに登録移動局が在圏していないことを、自セルにおけるＲＲＣ＿ＣＯＮＮＥＣＴＥＤ＿ＵＥが存在しない状態により判定する、請求項１記載の基地局。
【請求項３】
前記登録移動局在圏問い合わせ部は、
前記第１タイマ満了時に、周辺基地局へ登録移動局の在圏有無を問い合わせる、請求項１記載の基地局。
【請求項４】
前記タイマ制御部は、
移動局の全てが自局の通信圏外にハンドオーバした際に前記第１及び第２タイマを起動し、かつ、前記登録移動局在圏問い合わせ部及び前記第１及び第２タイマ以外を前記省電力モードに移行させる、請求項１記載の基地局。
【請求項５】
前記タイマ制御部は、
登録移動局が在圏する基地局に応じて、前記第１及び第２タイマの満了時刻を変更する、請求項１記載の基地局。
【請求項６】
前記満了時刻は、移動局が近隣の基地局に在圏する場合は短く、移動局が遠方の基地局に在圏する場合は長くする、請求項５記載の基地局。
【請求項７】
在圏問い合わせ結果及び問い合わせ時刻を複数回分保持し、これらの情報から移動局の移動方向を推定する推定部を備える請求項１記載の基地局。
【請求項８】
前記タイマ制御部は、
推定した前記移動方向に基づいて、移動局が自局に近づいている場合は前記第２タイマの満了時刻を短くし、移動局が自局から遠ざかっている場合は前記第２タイマの満了時刻を長くする、請求項７記載の基地局。
【請求項９】
前記タイマ制御部は、
推定した前記移動方向に基づいて、移動局が同じ基地局にいるとき、又は遠ざかる場合は前記第２タイマをリセットする、請求項７記載の基地局。
【請求項１０】
前記タイマ制御部は、
登録移動局の問い合わせ時に前記第１タイマをリセットする、請求項１記載の基地局。
【請求項１１】
前記タイマ制御部は、
前記第２タイマの時間満了時に、前記省電力モードに移行した機能を起動する、請求項１記載の基地局。
【請求項１２】
登録移動局の在圏セルの変化に応じたタイマ変更パターンを保持するタイマ変更パターン記憶部と、
前記登録移動局在圏問い合わせ結果受信時において、登録移動局の在圏セルの変化に応じて前記タイマ変更パターン記憶部に保持されているタイマ変更パターンを参照し、タイマ変更パターンを決定する在圏状態判定部とをさらに備え、
前記タイマ制御部は、
前記登録移動局在圏問い合わせ結果受信時、前記在圏状態判定部により決定されたタイマ変更パターンに従い前記第１及び第２タイマのタイマ値及びタイマ満了値を更新する、請求項１記載の基地局。
【請求項１３】
移動局の位置情報を管理サーバが管理する位置情報とし、前記位置情報の問い合わせ先が管理サーバである、請求項１記載の基地局。
【請求項１４】
移動通信システムで使用される基地局の省電力方法であって、
周辺基地局に登録移動局の在圏有無を問い合わせるステップと、
自セルに登録移動局が在圏していないことを、省電力モード移行時として検出するステップと、
前記省電力モード移行時において、
周辺セルへの前記登録移動局在圏問い合わせ周期を満了値とする第１タイマと、前記省電力モードを解除するまでの時間を満了値とする第２タイマとをリセット及び起動するタイマ制御ステップと、
前記省電力モード移行時、無線部の電源をオフするとともに、前記第２タイマの満了検出により省電力モード解除の場合、前記無線部の電源をオンするステップと、
を有する基地局の省電力方法。
【請求項１５】
登録移動局の在圏セルの変化に応じたタイマ変更パターンを保持するステップと、
前記登録移動局在圏問い合わせ結果受信時において、登録移動局の在圏セルの変化に応じて前記保持されているタイマ変更パターンを参照し、タイマ変更パターンを決定するステップとを有し、
前記タイマ制御ステップでは、
前記登録移動局在圏問い合わせ結果受信時、前記在圏状態判定部により決定されたタイマ変更パターンに従い前記第１及び第２タイマのタイマ値及びタイマ満了値を更新する、請求項１４記載の基地局の省電力方法。
【発明の詳細な説明】
【技術分野】
【０００１】
本発明は、基地局及び基地局の省電力方法に関する。
【背景技術】
【０００２】
一般家庭又はオフィスなどの建物内において、セル半径が数十メートル以下の狭小セル（フェムトセル：Femto Cell）をカバー範囲とする無線通信基地局装置（フェムトセル基地局、又はＨｏｍｅ  Ｎｏｄｅ−Ｂ等と称される。以下、「フェムトセル基地局」又は「ＨＮＢ」と記す。）の設置が検討されている。
【０００３】
３ＧＰＰ（3rd Generation Partnership Project）ＬＴＥ（Long term evolution）で検討されているフェムトセル基地局は、例えば、家庭に設置された場合、その家の家族だけにアクセスを制限するなどのように、限られたグループメンバーにだけアクセスを許可することが検討されている。このようなセルはアクセス限定セル（CSG cell: Closed Service Group cell）と呼ばれることもある。
【０００４】
また、アクセスが許可された携帯端末であるＵＥ（User Equipment)は、フェムトセル基地局に優先的に接続する。すなわち、ＵＥがフェムトセル基地局のエリアに入った場合、フェムトセル基地局よりもセル半径が大きい既存の基地局（以下、「マクロセル」又は「マクロ基地局」と記す。）の電波を受信できたとしても、優先的に小セル無線通信基地局装置に接続する。
【０００５】
現在、移動体通信システムではセル半径が狭い（半径数メートル〜数十メートルの）小型基地局（フェムトセル）が開発されており、各住居に設置されることを想定されている。そして、そのメリット活用して移動体通信サービス（音声通話やデータ通信等）の他にホームセキュリティに用いることも検討されている。
【０００６】
自宅などで用いるフェムトセル基地局では、省電力のため不在時に電源をオフにしておきたい要望がある。手動操作では、消し忘れや点け忘れする場合があり、ユーザにとって不便である。オンを判定する手段としては、移動局の送信信号検出やタイマを用いる方法がある。
【０００７】
非在圏だった移動局からの送信信号を受信（ランダムアクセス手順を実行）するために、基地局は同期信号や報知情報送信、ランダムアクセスチャネル受信などの機能が稼動状態でなければ実現できない。また、これらを常時稼動状態とすると省エネ効果は得られない。
【０００８】
さらに、固定的に設定した時刻でのオン／オフでは、登録ユーザの予定外の行動に対応できない。なお、基地局の省電力技術について、３ＧＰＰで技術標準化される動きがある。
【０００９】
特許文献１には、移動体通信システムの基地局及びシャットダウン方法が記載されている。特許文献１記載の基地局は、基地局の停止指示を検出すると、移動機が基地局のエリア内に存在するか否かを判定し、移動機が基地局のエリア内に存在しない場合に、基地局を停止するように制御する。
【００１０】
特許文献１記載の装置及び方法は、フェムトセルにおいて、ユーザの不在を検出し、省電力モード（電源オフ又は間欠動作）に遷移する。省電力モードにおいては、電源投入、移動局からの送信信号を受信又はセキュリティシステムと連動によるユーザ検出により省電力モードを解除する。
【先行技術文献】
【特許文献】
【００１１】
【特許文献１】特開２００９−１８２６１９号公報
【発明の概要】
【発明が解決しようとする課題】
【００１２】
しかしながら、特許文献１記載の基地局及びシャットダウン方法にあっては、移動局からの送信信号の受信により省電力モードを解除する構成となっていたため、移動局は省電力モード解除の送信信号を送らなければならない。また、移動局にとって、適切なタイミングでの省電力モード解除とならない場合がある。
【００１３】
本発明の目的は、移動局にとって適切なタイミングで省電力モードを解除することができる基地局、及び基地局の省電力方法を提供することである。
【課題を解決するための手段】
【００１４】
本発明の基地局は、移動通信システムで使用される基地局であって、周辺基地局に登録移動局の在圏有無を問い合わせる登録移動局在圏問い合わせ部と、自セルに登録移動局が在圏していないことを、省電力モード移行時として検出する登録移動局有無判定部と、周辺セルへの前記登録移動局在圏問い合わせ周期を満了値とする第１タイマと、前記省電力モードを解除するまでの時間を満了値とする第２タイマと、前記省電力モード移行時において、前記第１及び第２タイマをリセット及び起動するタイマ制御部と、前記省電力モード移行時、無線部の電源をオフするとともに、前記第２タイマの満了検出により省電力モード解除の場合、前記無線部の電源をオンする制御を行う無線部電源制御部と、を備える構成を採る。
【００１５】
本発明の基地局の省電力方法は、移動通信システムで使用される基地局の省電力方法であって、周辺基地局に登録移動局の在圏有無を問い合わせるステップと、自セルに登録移動局が在圏していないことを、省電力モード移行時として検出するステップと、前記省電力モード移行時において、周辺セルへの前記登録移動局在圏問い合わせ周期を満了値とする第１タイマと、前記省電力モードを解除するまでの時間を満了値とする第２タイマとをリセット及び起動するタイマ制御ステップと、前記省電力モード移行時、無線部の電源をオフするとともに、前記第２タイマの満了検出により省電力モード解除の場合、前記無線部の電源をオンするステップと、を有する。
【発明の効果】
【００１６】
本発明によれば、外出中のユーザ（移動局）にとって適切なタイミングで省電力モードを解除することができる。
【図面の簡単な説明】
【００１７】
【図１】本発明の実施の形態１に係るフェムトセル基地局の構成を示すブロック図
【図２】上記実施の形態１に係るフェムトセル基地局の省電力モード制御を示すフロー図
【図３】上記実施の形態１に係るフェムトセル基地局の省電力モード移行時の動作の例を示す図
【図４】上記実施の形態１に係るフェムトセル基地局の省電力モード時の動作の例を示す図
【図５】上記実施の形態１に係るフェムトセル基地局のタイマ変更パターン記憶部に記憶されているタイマ変更パターンの例を示す図
【図６】本発明の実施の形態２に係るフェムトセル基地局の省電力モードの動作の例を示す図
【発明を実施するための形態】
【００１８】
以下、本発明の実施の形態について図面を参照して詳細に説明する。
【００１９】
（実施の形態１）
図１は、本発明の実施の形態１に係るフェムトセル基地局の構成を示すブロック図である。図１においては、基地局の省電力方法に直接関係しない機能ブロックの記載は省略されている。
【００２０】
本実施の形態は、基地局の省電力方法をフェムトセル基地局の省電力方法に適用した例である。
【００２１】
図１に示すように、フェムトセル基地局１００は、無線部１０１、ベースバンド信号処理部１０２、基地局制御情報処理部１０３、無線部電源制御部１０４、登録移動局有無判定部１０５、登録移動局記憶部１０６、第１タイマ１１１、第２タイマ１１２、タイマ制御部１１３、タイマ変更パターン記憶部１２１、在圏状態判定部１２２、及び登録移動局在圏問い合わせ部１２３を備える。
【００２２】
無線部１０１は、送信時にはベースバンド信号を無線信号に変換して送信する。無線部１０１は、受信時には受信した無線信号をベースバンド信号に変換する。
【００２３】
ベースバンド信号処理部１０２は、送信においては、報知情報、ページング情報、ランダムアクセスチャネル、ユーザ毎のデータ及び制御情報の符号化及び変調を行う。ベースバンド信号処理部１０２は、受信においては、ランダムアクセスチャネル、ユーザ毎のデータ及び制御情報の復調及び復号化を行う。
【００２４】
基地局制御情報処理部１０３は、局間制御局及び基地局間の有線インタフェース（ＬＴＥにおいてはＳ１及びＸ２）において伝送される制御データ（Ｃ−Ｐｌａｎｅ）及びユーザデータ（Ｕ−Ｐｌａｎｅ）の送受信処理を行う。また、基地局制御情報処理部１０３は、基地局の制御情報を処理し、基地局の制御を行う。
【００２５】
無線部電源制御部１０４は、無線部１０１の電源のオン及びオフを制御する。本実施の形態では、無線部電源制御部１０４は、登録移動局有無判定部１０５において、自セルに在圏している登録移動局がないことを検出した場合（省電力モード移行の場合）、無線部１０１をオフにする。また、無線部電源制御部１０４は、第２タイマ１１２の満了を検出した場合（省電力モード解除の場合）、無線部１０１の電源をオンにする。
【００２６】
登録移動局有無判定部１０５は、自セルに登録移動局が在圏していないことを、省電力モード移行時として検出する。登録移動局がいない状態とは、例えば、自セルにおけるＲＲＣ＿ＣＯＮＮＥＣＴＥＤ＿ＵＥが存在しない状態を指す。
【００２７】
登録移動局記憶部１０６は、自フェムトセル基地局１００を利用可能な移動局を記憶する。
【００２８】
第１タイマ１１１は、周辺セルへの登録移動局在圏問い合わせ周期を満了値とするタイマである。
【００２９】
第２タイマ１１２は、省電力モードを解除するまでの時間を満了値とするタイマである。
【００３０】
タイマ制御部１１３は、省電力モード移行時において、第１タイマ１１１及び第２タイマ１１２をリセット及びタイマを起動する。具体的には、タイマ制御部１１３は、以下の制御を行う。
【００３１】
タイマ制御部１１３は、移動局の全てが自局の通信圏外にハンドオーバした際に第１タイマ１１１及び第２タイマ１１２を起動し、かつ、登録移動局在圏問い合わせ部１２３及び第１タイマ１１１及び第２タイマ１１２以外を省電力モードに移行させる。
【００３２】
タイマ制御部１１３は、登録移動局が在圏する基地局に応じて、第１タイマ１１１及び第２タイマ１１２の満了時刻を変更する。満了時刻は、移動局が近隣の基地局に在圏する場合は短く、移動局が遠方の基地局に在圏する場合は長くする。
【００３３】
ここで、フェムトセル基地局１００は、在圏問い合わせ結果及び問い合わせ時刻を複数回分保持し、これらの情報から移動局の移動方向を推定し、タイマ制御部１１３は、推定した前記移動方向に基づいて、移動局が自局に近づいている場合は第２タイマ１１２の満了時刻を短くし、移動局が自局から遠ざかっている場合は第２タイマ１１２の満了時刻を長くする。
【００３４】
タイマ制御部１１３は、推定した前記移動方向に基づいて、移動局が同じ基地局にいるとき、又は遠ざかる場合は第２タイマ１１２をリセットする。
【００３５】
タイマ制御部１１３は、登録移動局の問い合わせ時に第１タイマ１１１をリセットする。
【００３６】
タイマ制御部１１３は、第２タイマ１１２の時間満了時に、省電力モードに移行した機能を起動する。
【００３７】
タイマ制御部１１３は、登録移動局在圏問い合わせ結果受信時においては、在圏状態判定部１２２により決定されたタイマ変更パターンに従い第１タイマ１１１及び第２タイマ１１２のタイマ値及びタイマ満了値を更新する。
【００３８】
タイマ変更パターン記憶部１２１は、登録移動局の在圏セルの変化に応じたタイマ変更パターンを保持する。
【００３９】
在圏状態判定部１２２は、登録移動局在圏問い合わせ結果受信時において、登録移動局の在圏セルの変化に応じてタイマ変更パターン記憶部１２１に保持されているタイマ変更パターンを参照し、タイマ変更パターンを決定する。在圏状態判定部１２２は、決定したタイマ変更パターンをタイマ制御部１１３に通知する。
【００４０】
登録移動局在圏問い合わせ部１２３は、第１タイマ１１１の満了検出時に、基地局制御情報処理部１０３を介して周辺セルに登録移動局の在圏有無を問い合わせる。周辺基地局は、フェムトセル基地局１００の登録移動局の在圏の有無を、例えば、自セルに問い合わせられた移動局がＲＲＣ＿ＣＯＮＮＥＣＴＥＤ状態であるどうかにより判定する。
【００４１】
以下、上述のように構成されたフェムトセル基地局１００の省電力動作について説明する。
【００４２】
図２は、フェムトセル基地局１００の省電力モード制御を示すフローチャートである。
【００４３】
まず、ステップＳ１で、フェムトセル基地局１００は、省電力モードか否かを判別する。省電力モードでない場合は、ステップＳ２で、フェムトセル基地局１００は、省電力モード解除中に、定期的に在圏移動局の有無を判定する。在圏移動局有無判定方法は、例えば、自セルにおけるＲＲＣ＿ＣＯＮＮＥＣＴＥＤ＿ＵＥ数に基づいて判定する。具体的には、ＲＲＣ＿ＣＯＮＮＥＣＴＥＤ＿ＵＥ数がゼロか否かを判定し、ＲＲＣ＿ＣＯＮＮＥＣＴＥＤ＿ＵＥ数がゼロでない場合は、本フローを終了する。
【００４４】
移動局２００の移動に伴い、フェムトセルは自セルのＲＲＣ＿ＣＯＮＮＥＣＴＥＤ＿ＵＥ数がゼロになったことを検出した場合（ステップＳ２のＹｅｓ）、ステップＳ３以降で第１タイマ１１１及び第２タイマ１１２の初期化、及び起動後に省電力モードに移行する。
【００４５】
すなわち、ステップＳ３で、タイマ制御部１１３は、第１タイマ１１１を初期化し、ステップＳ４で、タイマ制御部１１３は、第２タイマ１１２を初期化する。
【００４６】
ステップＳ５で、タイマ制御部１１３は、第１タイマ１１１を起動し、ステップＳ６で、タイマ制御部１１３は、第２タイマ１１２を起動する。
【００４７】
ステップＳ７で、フェムトセル基地局１００は、省電力モードに移行し、無線部１０１の電源をオフにして本フローを終了する。
【００４８】
上記ステップＳ１で省電力モードの場合、ステップＳ８で、タイマ制御部１１３は、第２タイマ１１２が満了か否かを判別する。
【００４９】
第２タイマ１１２が満了していない場合、ステップＳ９で、タイマ制御部１１３は、第１タイマ１１１が満了か否かを判別する。第１タイマ１１１が満了していない場合、本フローを終了する。
【００５０】
第１タイマ１１１が満了している場合、ステップＳ１０で、登録移動局在圏問い合わせ部１２３は、周辺セルに対して自フェムトセル基地局に登録している移動局の在圏の有無を問い合わせる。
【００５１】
問い合わせ先となる周辺セルは、フェムトセル基地局設置時に設定し、自セルの位置変更や周辺セルの設置状態に応じて再起動やアップデートにより容易に更新できるものとする。周辺セルへの問い合わせは、基地局の制御や移動局のユーザデータ及び制御データを伝送する有線インタフェースを用いて行う。
【００５２】
ステップＳ１１で、在圏状態判定部１２２は、周辺セルから報告された問い合わせ結果に基づいて、在圏状態を判定する。在圏状態判定部１２２は、在圏状態からタイマ変更パターン記憶部１２１に記憶されているタイマ変更パターンを選択する。
【００５３】
ステップＳ１２で、タイマ制御部１１３は、在圏状態判定部１２２により決定されたタイマ変更パターンに従い、第１タイマ１１１のタイマ値及びタイマ満了値を更新し、ステップＳ１３で、第２タイマ１１２のタイマ値及びタイマ満了値を更新する。
【００５４】
ステップＳ１４で、フェムトセル基地局１００は、前回の在圏セルを更新して本フローを終了する。具体的には、フェムトセル基地局１００は、問い合わせ結果受信時に、「現在の在圏セル」を「前回の在圏セル」とし、「現在の在圏セル」を登録移動局の在圏があると報告されたマクロセルとする。
【００５５】
一方、上記ステップＳ８で第２タイマ１１２が満了した場合、ステップＳ１５で、フェムトセル基地局１００は、省電力モードを解除し、無線部１０１の電源をオンにして本フローを終了する。
【００５６】
上記省電力モード制御について、図３乃至図５を参照して詳細に説明する。
【００５７】
図３は、フェムトセル基地局１００の省電力モード移行時の動作の例を示す図である。図４は、フェムトセル基地局１００の省電力モード時の動作の例を示す図である。図５は、フェムトセル基地局１００のタイマ変更パターン記憶部１２１に記憶されているタイマ変更パターンの例を示す図である。
【００５８】
[省電力モード移行時の動作]
図３に示すように、省電力モード移行時には、移動局２００は、利用可能なフェムトセルでの在圏状態（図３(1)の地点）を起点に、マクロセル＃１（図３(2)の地点）、マクロセル＃２（図３(3)及び(4)の地点）の順に、マクロセル＃１（図３(10)の地点）まで移動し、最後にフェムトセルに戻る（図３(1)の地点）動きを示している。
【００５９】
フェムトセル基地局１００は、省電力モード解除中に、定期的に在圏移動局の有無を判定する。判定方法は、例えば、自セルにおけるＲＲＣ＿ＣＯＮＮＥＣＴＥＤ＿ＵＥ数に基づき判定する（図２のステップＳ２参照）。
【００６０】
移動局２００の移動に伴い、フェムトセルは自セルのＲＲＣ＿ＣＯＮＮＥＣＴＥＤ＿ＵＥ数がゼロになったことを検出した場合、省電力モードに移行する（図２のステップＳ７参照）。
【００６１】
上記省電力モード移行時に、第１タイマ１１１及び第２タイマ１１２を初期化する。続いて、第１タイマ１１１及び第２タイマ１１２を起動する。続いて、無線部１０１の電源をオフにする。
【００６２】
図３では、省電力モード移行において、移動局２００がフェムトセル（図３(1)の地点）からマクロセル＃１（図３(2)の地点）に移動（ハンドオーバ）するに伴い、ＲＲＣ＿ＣＯＮＮＥＣＴＥＤ＿ＵＥ数ゼロと判定し、省電力モードに移行する。
【００６３】
[省電力モード時の動作]
図４に示すように、省電力モード時において、移動局２００は、マクロセル＃２（図４(4)の地点）に在圏し、その後に、マクロセル＃８（図４(5)の地点）に移動してマクロセル＃８に在圏している状態を示す。
【００６４】
フェムトセル基地局１００は、第１タイマ１１１の満了を検出した時に、周辺セルに対して自フェムトセル基地局１００に登録している移動局の在圏の有無を問い合わせる（図２のステップＳ１０参照）。問い合わせ先となる周辺セルは、フェムトセル基地局１００設置時に設定し、自セルの位置変更や周辺セルの設置状態に応じて再起動やアップデートにより容易に更新できる。
【００６５】
フェムトセル基地局１００は、周辺セルから報告された問い合わせ結果に基づき、在圏状態を判定する（図２のステップＳ１１参照）。在圏状態からタイマ変更パターン記憶部１２１に記憶されているタイマ変更パターンを選択する。選択したタイマ変更パターンに従い、第１タイマ１１１及び第２タイマ１１２のタイマ値及びタイマ満了値を更新する（図２のステップＳ１２，Ｓ１３参照）。
【００６６】
図４の状況においては、マクロセル基地局＃８から登録移動局が在圏していることが報告され、他のマクロセル基地局（＃１〜７、＃９及び＃１０）からは登録移動局の在圏がないことが報告される。
【００６７】
周辺セルは、登録移動局の在圏の有無を、例えば、自セルに問い合わせされた移動局２００がＲＲＣ＿ＣＯＮＮＥＣＴＥＤ状態であるどうかにより判定する。
【００６８】
ここで、前回の問い合わせ時には、移動局２００は、マクロセル＃２に在圏しており、マクロセル基地局＃２からのみ登録移動局が在圏していることが報告されている。フェムトセル基地局１００は、問い合わせ結果受信時に、「現在の在圏セル」を「前回の在圏セル」とし、「現在の在圏セル」を登録移動局の在圏があると報告されたマクロセルとする。図４において、周辺セルからの報告を受信した時に、それまでに「現在の在圏セル」であったマクロセル＃２を「前回の在圏セル」とし、「現在の在圏セル」をマクロセル＃８とする（図２のステップＳ１４参照）。
【００６９】
[タイマ変更パターン例]
図５に示すように、タイマ変更パターンは、図５のパターンに従い、「前回の在圏セル」であるマクロセル＃２と「現在の在圏セル」であるマクロセル＃８の組み合わせを参照する。
【００７０】
図５の例では、マクロセル＃２からマクロセル＃８への移動におけるタイマの制御は、移動局２００が、フェムトセルから見て遠ざかる方向への移動である。このため、第１及び第２タイマ１１２に対する制御はタイマ値をリセットし満了値は延長としている。周辺セルへの問い合わせ周期を長くし、問い合わせ頻度を減らすと共に、省電力モード解除までの時間を長くするためである。
【００７１】
制御の状態は、図５中の状態に限らず、具体的数値や本発明を適用した運用において状況に適した状態を設定することができる。また、自セルの位置変更や周辺セルの設置状態に応じて再起動やアップデートにより容易に更新可能である。
【００７２】
[省電力モード解除の動作]
省電力モード時において、フェムトセル基地局１００は、省電力モードを解除するか判定を行う。具体的には、フェムトセル基地局１００は、省電力モード中に、第２タイマ１１２の満了を検出した場合（図２のステップＳ８のＹｅｓ参照）、省電力モードを解除し、無線部１０１の電源をオンにする（図２のステップＳ１５参照）。
【００７３】
以上詳細に説明したように、本実施の形態によれば、フェムトセル基地局１００は、周辺基地局に登録移動局の在圏有無を問い合わせる登録移動局在圏問い合わせ部１２３と、自セルに登録移動局が在圏していないことを、省電力モード移行時として検出する登録移動局有無判定部１０５とを備える。また、フェムトセル基地局１００は、周辺セルへの登録移動局在圏問い合わせ周期を満了値とする第１タイマ１１１と、省電力モードを解除するまでの時間を満了値とする第２タイマ１１２とを備える。また、フェムトセル基地局１００は、省電力モード移行時において、第１タイマ１１１及び第２タイマ１１２をリセット及び起動するタイマ制御部１１３と、省電力モード移行時、無線部１０１の電源をオフし、第２タイマ１１２の満了検出により省電力モード解除の場合、無線部１０１の電源をオンする無線部電源制御部１０４とを備える。
【００７４】
上記構成により、フェムトセル基地局１００に登録している移動局２００が、再度自セル内に入るまでの時間を周辺のセルでの在圏状態から推定することができ、無線部１０１の電源オンまでの時刻を動的に変更することができる。したがって、ユーザ（移動局）にとって適切なタイミングで省電力モードを解除（無線部１０１の電源をオン）することができる。登録移動局の在圏有無に応じて無線部１０１の電源をオン／オフを制御することで、省電力を実現することができる。
【００７５】
（実施の形態２）
図６は、本発明の実施の形態２に係るフェムトセル基地局の省電力モードの動作の例を示す図である。図３と同一構成部分には同一符号を付して重複箇所の説明を省略する。
【００７６】
本発明の実施の形態２における移動無線端末の基本的な構成及び動作は、実施の形態１と同様である。
【００７７】
本実施の形態は、実施の形態１における移動局の位置情報を、周辺セルにおける登録移動局の在圏有無から、移動局の位置情報を管理サーバが管理する位置情報に代えた構成を採る。
【００７８】
例えば、移動局は、ＧＰＳ（Global Positioning System）やＰＲＳ（Positioning Reference Signals）などを用いて測定し、ＭＭＥ（Mobility Management Entity）などの管理サーバが管理する位置情報とし、問い合わせ先を周辺セルから上記管理サーバに変更する。
【００７９】
位置情報の形態の変更に伴い、タイマ変更パターンを参照するための情報を「前回の在圏セル」及び「現在の在圏セル」からフェムトセル基地局１００と移動局との距離に変更する。
【００８０】
タイマ変更パターンの参照においては、フェムトセル基地局１００と移動局との距離に幅を持たせたり、距離からタイマ値及びタイマ満了値を直接算出したりするものとする。
【００８１】
動作は実施の形態１と同様であり、同様の効果を得ることができる。
【００８２】
以上の説明は本発明の好適な実施の形態の例証であり、本発明の範囲はこれに限定されることはない。
【００８３】
例えば、上記実施の形態では、基地局がフェムトセル基地局で説明したが、基地局はピコセルやマイクロセル、ＩＭＣＳ（Inbuilding Mobile Communication System）等であっても構わない。
【００８４】
また、フェムトセル基地局でなくとも、登録したユーザのみ使用可能なＣＳＧ（Closed Subscriber Group）  Ｃｅｌｌもしくは、登録したユーザを優先的にスケジューリングするＨｙｂｒｉｄ  Ｃｅｌｌであれば適用可能である。
【００８５】
上記各実施の形態では、基地局及び基地局の省電力方法という名称を用いたが、これは説明の便宜上であり、装置はフェムトセル基地局，移動通信システム、方法は省電力制御方法等であってもよい。
【００８６】
さらに、上記フェムトセル基地局を構成する各構成部、例えば、各タイマ、判定部の種類などは前述した実施の形態に限られない。
【００８７】
上記各実施の形態では、本発明をハードウェアで構成する場合を例にとって説明したが、本発明はソフトウェアで実現することも可能である。
【００８８】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９０】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【００９１】
本発明の基地局及び基地局の省電力方法は、フェムトセル基地局を省電力に利用した移動通信システム等の用途に有用である。
【符号の説明】
【００９２】
１００  フェムトセル基地局
１０１  無線部
１０２  ベースバンド信号処理部
１０３  基地局制御情報処理部
１０４  無線部電源制御部
１０５  登録移動局有無判定部
１０６  登録移動局記憶部
１１１  第１タイマ
１１２  第２タイマ
１１３  タイマ制御部
１２１  タイマ変更パターン記憶部
１２２  在圏状態判定部
１２３  登録移動局在圏問い合わせ部
２００  移動局
【図１】
2012039295.tif 000003
【図２】
2012039295.tif 000004
【図３】
2012039295.tif 000005
【図４】
2012039295.tif 000006
【図５】
2012039295.tif 000007
【図６】
2012039295.tif 000008